【事件の表示】
　特願２００７−１２７４６３「表示装置を利用したイメージトレーニング方法」拒絶査定不服審判事件〔平成２０年１１月２０日出願公開、特開２００８−２７９１４８〕について、次のとおり審決する。
【結　論】
　本件審判の請求は、成り立たない。
【理　由】
第１　手続の経緯
　本願は、平成１９年５月１２日の出願であって、原審において平成２３年１１月２９日付けで拒絶の理由が通知され、それに対して平成２４年２月１６日に意見書が提出され、同年４月５日付けで拒絶査定がなされ、それに対して同年８月８日に拒絶査定不服審判の請求がなされたものである。
　　
第２　本願発明
　本願の請求項１に係る発明（以下「本願発明」という。）は、出願当初の特許請求の範囲の請求項１に記載された事項によって特定されるとおりの次のものであると認める。
「【請求項１】
イメージトレーニングの初期条件となる周囲の状況や局面を画像として任意のタイミングで表示装置に表示することにより、発想のきっかけを作り発想効率を向上させることを特徴とするトレーニング支援方法。」 
　　
第３　引用刊行物
　本願出願前に頒布され、原査定の拒絶の理由において引用された刊行物である、特開平６−２８２２２２号公報（以下「引用例」という。）には、次の事項が記載されている。（下線は審決で付した。また、丸付き数字は○１などと記載した。以下同じ。）
ア　「【０００１】
【産業上の利用分野】本発明は、
作業時の安全確保のための危険予知の訓練を行う危険予知訓練装置
イ　「【００１７】
【実施例】本発明の一実施例について図１乃至図５に基づいて説明すれば、以下のとおりである。
【００１８】本実施例に係る
危険予知訓練装置は
イメージスキャナ１、コンピュータ本体２、ディスプレイ３、キーボード４、保存用光ディスク装置５、及びダビング用光ディスク装置６とから構成されている
ウ　「【００３６】次に、上記のようにして作成された危険予知訓練用テキストに基づいて、
ディスプレイ３を使用して危険予知訓練を行う
【００３７】先ず、
危険予知訓練装置の起動後、危険予知訓練用テキストが保存されている保存用光ディスク５、或いは危険予知訓練用テキストが保存されているダビング用光ディスク６がアクセスされる
【００３８】次に、作業の最初の工程における第１作業局面に対応する画像が、上記ディスプレイ３に表示される（ステップ１２）。作業者（訓練者）は、ディスプレイ３上の画像を注視し、該当する作業局面に係る全ての危険予知事項を想定する（ステップ１３）。訓練者は、他に危険予知事項がないか否かを判断する（ステップ１４）。
【００３９】ステップ１４で、他に想定される危険予知事項がない場合、或いは危険予知事項が想定できない場合、訓練者は前進キーを押圧する（ステップ１５）。すると、ディスプレイ３には、該当する作業局面で、作業者として想定しなければならない危険予知訓練事項が表示される（ステップ１６）。一方、想定される危険予知事項が他に存在する場合、ステップ１３に戻る。これにより、訓練者は、表示された危険予知訓練事項を該当作業局面に関連づけて理解できる。」
エ　「【００４０】例えば、プレス作業の危険予知訓練を行う場合、ディスプレイ３は、例えば、図４に示すようなイラスト画面を表示すると共に、イラスト画面下方には、状況説明（洗面板１３００ｔプレスに材料を入れ、洗面板を成型し、抜き取って近くの置き場に運んでいる（重量５．３kg））が示される。
【００４１】それから、
訓練者は想定し得る限りの危険予知事項を想定し、想定終了後、前進キーを押圧すると
【００４２】ステップ１６の終了後、上記工程における第２作業局面に移行する（第１作業局面に対する
危険予知が十分に行えた
のか、或いは
危険予知が不十分であった
のかについて訓練者が判断する
【００４３】ステップ１７において、第１作業局面における危険予知が不十分であると訓練者が判断した場合には、前画面キーを押圧し（ステップ２０）、ステップ１３に戻り、上記の動作を繰り返す。なお、訓練中に、危険予知訓練を最初からもう一度行いたい場合、初期画面キーが押圧されると、ステップ１１に移行し、最初から訓練が行なえるようになっている。
【００４４】上記の訓練手順は、作業工程順に行われ、各工程で作業局面の数だけ繰り返し行われる。これにより、訓練者は、使用する装置の操作が無理なく理解できると共に、危険予知訓練用テキストはストーリー性を有しているので、各工程における作業局面の流れ、及び作業全体の流れを系統立てて整理でき、無理なく確実に把握することができると共に、作業で使用する装置の正確な操作方法を確実に習得できる。」
オ　「【図４】
」
カ　「【図５】
」
キ　上記エ及びオから、
プレス作業の危険予知訓練を行う場合のディスプレイ３に、どんな危険がひそんでいるか、との見出しとともにプレス作業のイラスト画面が表示され、あわせて、〔状況〕の見出しとともに、洗面板１，３００ｔプレスに材料を入れ、洗面板を成型し、抜き取って近くの置き場に運んでいる（重量５．３ｋｇ）、との状況説明が表示され
ク　上記エ及びカから、訓練者が想定し得る限りの危険予知事項を想定し、想定終了後、前進キーを押圧した際の、
ディスプレイ３に表示される表示として、〔危険ポイント〕との見出しとともに○１　わき見して操作ボタンを押しているので、他の人に怪我を負わせる。○２　製品が作業台に立てて置いてあるので、プレスの振動で倒れ、落下して怪我をする。○３　足元が狭いので、つまづいて怪我をする。との記載が、また、＜一口メモ＞との見出しと共に点線で囲まれた領域に（１）　プレスの始業点検を必ず実行すること。（２）　機械の周囲は良く整理整頓して作業を開始すること。（３）　保護具は必ず着用すること。との記載が、それぞれ表示されている
　　
ケ　上記記載事項アないしクの記載からみて、引用例には、以下の発明が記載されているものと認められる。 
「イメージスキャナ１、コンピュータ本体２、ディスプレイ３、キーボード４、保存用光ディスク装置５、及びダビング用光ディスク装置６とから構成されている、作業時の安全確保のための危険予知の訓練を行う危険予知訓練装置の、ディスプレイ３を使用して行う危険予知訓練であって、
　プレス作業の危険予知訓練を行う場合、
　危険予知訓練装置の起動後、危険予知訓練用テキストが保存されている保存用光ディスク５、或いは危険予知訓練用テキストが保存されているダビング用光ディスク６がアクセスされると、
　ディスプレイ３に、どんな危険がひそんでいるか、との見出しとともにプレス作業のイラスト画面が表示され、あわせて、〔状況〕の見出しとともに、洗面板１，３００ｔプレスに材料を入れ、洗面板を成型し、抜き取って近くの置き場に運んでいる（重量５．３ｋｇ）、との状況説明が表示され、
　訓練者は想定し得る限りの危険予知事項を想定し、想定終了後、前進キーを押圧すると、
ディスプレイ３に表示される表示として、〔危険ポイント〕との見出しとともに
○１　わき見して操作ボタンを押しているので、他の人に怪我を負わせる。
○２　製品が作業台に立てて置いてあるので、プレスの振動で倒れ、落下して怪我をする。
○３　足元が狭いので、つまづいて怪我をする。
との記載が、また、＜一口メモ＞との見出しと共に点線で囲まれた領域に
（１）　プレスの始業点検を必ず実行すること。
（２）　機械の周囲は良く整理整頓して作業を開始すること。
（３）　保護具は必ず着用すること。
との記載が、それぞれ表示されて、
　危険予知が十分に行えたのか、或いは危険予知が不十分であったのかについて訓練者が判断する、
ディスプレイ３を使用して行う危険予知訓練。」（以下「引用発明」という。）
　　
第４　対比・判断 
 　本願発明と引用発明とを対比する。 
ア　引用発明の「ディスプレイ３」が本願発明の「表示装置」に、以下同様に「イラスト画面」が「画像」に、「表示」が「表示」に、「危険予知訓練」が「トレーニング」に、それぞれ相当している。
イ　引用発明の「危険予知訓練（トレーニング）」は、「ディスプレイ３（表示装置）」を使用して行う「トレーニング」であるから、表示装置を利用したトレーニング方法に係るものであって、「ディスプレイ３（表示装置）」は「危険予知訓練（トレーニング）」を支援するためのものであることは自明であり、「『ディスプレイ３（表示装置）』を使用して行う『危険予知訓練方法（トレーニング方法）』」を「トレーニング支援方法」ということができることも、当業者に明らかである。
ウ　引用発明の「危険予知訓練（トレーニング）」は、「ディスプレイ３に、どんな危険がひそんでいるか、との見出しとともにプレス作業のイラスト画面が表示され、あわせて、〔状況〕の見出しとともに、洗面板１，３００ｔプレスに材料を入れ、洗面板を成型し、抜き取って近くの置き場に運んでいる（重量５．３ｋｇ）、との状況説明が表示され」た状態で、「訓練者は想定し得る限りの危険予知事項を想定し」、「想定終了後、前進キーを押圧すると」、「ディスプレイ３に表示される表示として、〔危険ポイント〕との見出しとともに
○１　わき見して操作ボタンを押しているので、他の人に怪我を負わせる。
○２　製品が作業台に立てて置いてあるので、プレスの振動で倒れ、落下して怪我をする。
○３　足元が狭いので、つまづいて怪我をする。
との記載が、また、＜一口メモ＞との見出しと共に点線で囲まれた領域に
（１）　プレスの始業点検を必ず実行すること。
（２）　機械の周囲は良く整理整頓して作業を開始すること。
（３）　保護具は必ず着用すること。
との記載が、それぞれ表示されて」、「危険予知が十分に行えたのか、或いは危険予知が不十分であったのかについて訓練者が判断する」、ものであるから、引用発明の「危険予知訓練（トレーニング）」は、訓練者が「想定し得る限りの危険予知事項を想定し」、「想定終了後」「ディスプレイ３（表示装置）に表示される表示（表示）」を見て、「危険予知が十分に行えたのか、或いは危険予知が不十分であったのかについて」「判断する」ものであるから、想定すべき事項である危険を予知するきっかけを作り、危険予知の効率を向上させるものであって、任意の動作を適用させる状況・局面を初期条件として認識し、その環境下で自らが実行すべき動作を正しく選択し、その動作を正確にタイミング良く実行することをイメージしてゆく練習ということができる。
　してみると、引用発明の「危険予知訓練（トレーニング）」は、「発想のきっかけを作り発想効率を向上させる」「イメージトレーニング」といえることは、当業者に明らかである。
エ　引用発明の「イラスト画面（画像）」は、「〔状況〕の見出しとともに、洗面板１，３００ｔプレスに材料を入れ、洗面板を成型し、抜き取って近くの置き場に運んでいる（重量５．３kg）との状況説明」と「あわせて」、「ディスプレイ３（表示装置）」に「表示（表示）」されるものであるから、この「イラスト画面（画像）」が「ディスプレイ３（表示装置）」に「表示（表示）」された「周囲の状況や局面」といえることは、当業者に自明である。
オ　上記ウから、引用発明において、訓練者は、引用発明の「イラスト画面（画像）」を見て、「発想のきっかけを作り発想効率を向上させる」「イメージトレーニング」を行うものであるから、上記エより、引用発明の「イラスト画面（画像）」は、「イメージトレーニングの初期条件となる周囲の状況や局面」の「画像」ということができる。
　　
　上記アないしオから、本願発明と、引用発明とは、以下の点で一致している。 
「イメージトレーニングの初期条件となる周囲の状況や局面を画像として表示装置に表示することにより、発想のきっかけを作り発想効率を向上させるトレーニング支援方法。」 
　　
　そして、以下の点で相違している。 
（相違点）
　本願発明の「トレーニング支援方法」が、「イメージトレーニングの初期条件となる周囲の状況や局面を画像として表示装置に表示すること」を「任意のタイミングで」行うのに対し、引用発明が、「任意のタイミングで」表示を行うか否かが、定かではない点。
　　
（２）判断
　上記相違点について検討する。 
（相違点について）
　本願発明における「画像として任意のタイミングで表示装置に表示すること」について、「任意のタイミング」との文言については、明細書の発明の詳細な説明には記載されていないため、「任意のタイミング」が何を意味するかは詳らかではない。
　そこで、本願の明細書の記載を参酌するに、本願の明細書の発明の詳細な説明には、以下の記載がある。
ア　「【０００６】
　イメージトレーニングは、まず任意の運動技術や動作を適用させる状況・局面を初期条件として認識し、その環境下で自らが実行すべき動作を正しく選択し、その動作を正確にタイミング良く実行することをイメージしてゆく練習である。これを繰り返すことで特定の状況・局面に差しかかった場合の反応動作が容易になり、実際の反復練習と併用することで、練習能率の向上を図ることができる。」
イ　「【０００９】
　本発明によれば、イメージトレーニングの際の初期画像を任意に、またはアトランダムに画面上に表示することにより、トレーニングの効果及び効率を向上させることができる。また、統計情報を活用することにより、イメージトレーニングの効果の把握が容易となる。」
ウ　「【００１８】
　シチュエーション画像はイメージトレーニングの発想のきっかけとなる画像であるから、例えば球技であれば、
１) 
相手プレーヤーや自身の位置・状態
２) 
ボールやラケット、クラブ等の状態
３) 
天候、風の状態等の自然環境
といった目的のプレーを実践する前提となるシチュエーションを表す画像である。」
エ　「【００２１】
　「シチュエーション画像表示方法の設定」は各シチュエーション画像の表示順序の設定であり任意の順序（オーダー指定）か、無作為に表示する設定が可能である。「動作イメージ画像表示方法の設定」は表示されたシチュエーション画像を見てユーザがイメージを働かせた後、予め登録しておいた動作イメージ画像を表示するかどうかの指定である。また、表示する場合は表示タイミング（時間の場合は表示までの秒数、入力装置の操作による時はマウス・キーボード等の入力装置名称）を設定する。」
オ　「【００３８】
次に図１でメインメニュー画面からトレーニング機能を選択し、さらに「設定」を選択する。本例では、各設定を次のように指定する。
（１）   シチュエーション画像の表示方法は「無作為表示」とする。
（２）   動作イメージ画像表示は「表示する」とする。表示タイミングは時間で５秒とする。
（３）   発想成否の入力の設定は「入力する」を選択する。
以上で設定を終了し、実行機能に移る。」
　上記アないしオから、本願発明における「画像として任意のタイミングで表示装置に表示すること」における「任意のタイミング」とは、ユーザが任意の順序で表示するようになすことか、あるいは、ユーザの設定によらず、アトランダムあるいは無作為に表示を行うことについて、その表示のタイミングを「任意のタイミング」と称しているものと認められる。
　ここで、トレーニングを行う際に用いる画像を、どのような順序で表示装置に表示するかについては、ユーザである訓練者が適宜決定して表示するようになせばよいことである。
　また、ユーザである訓練者がトレーニングを行う際に用いる画像の表示順序を任意に決定しないものとしても、そのようにトレーニングを行う際に用いる画像をランダムに表示装置に表示させることは、当業者が適宜採用し得る程度の事項にすぎない。
　してみると、引用発明において、「任意のタイミングで」「イメージトレーニングの初期条件となる周囲の状況や局面を画像として表示装置に表示する」ようにして、相違点に係る構成を得ることは、当業者が適宜採用し得る程度のことにすぎない。
　　
　そして、本願発明の作用効果も、引用発明から当業者が予測できる範囲のものである。
　すなわち、本願発明は、当業者が引用例に記載された発明に基づいて容易に発明をすることができたものと認める。
　　
第５　むすび
　以上のとおり、本願発明は、原査定の拒絶の理由に引用された引用例に記載された発明に基づき、当業者が容易に発明をすることができたものであるから、特許法第２９条第２項の規定により特許を受けることができない。
　　
　よって、結論のとおり審決する。